(57)【要約】【課題】  電子メールを高速送信するための方法を提供する。【解決手段】  メッセージ受信機１を介し、電子メールを高速送信するための方法である。メッセージ受信機１は、例えば、携帯電話や、携帯情報端末や、ネットワークに接続されたリモートコントロール装置を含んでいる。メッセージ受信機１の内部回路に電気的に接続されたショートカットキー２を押圧することによって、電子メール画面は、直ちに開かれる。メッセージ受信機１が、電子メール画面において操作されている場合、ショートカットキー２は、記号＠を入力するためのファンクションキーとして操作されるため、ユーザは、要望どおり、電子メールアドレスを容易に入力することができる。【選択図】            図１
2006099463.tif 000002
【特許請求の範囲】
【請求項１】
電子メールを高速送信するための装置であって、
メッセージ受信機、および、
前記メッセージ受信機の内部回路に電気的に接続される、少なくとも１つのショートカットキーを有し、
前記ショートカットキーは、現在の作業画面を電子メール画面に切り換え、電子メール画面に入った後において、電子メールアドレスを入力するための記号＠を入力するように機能する
ことを特徴とする装置。
【請求項２】
前記ショートカットキーは、電子メール画面と異なる現在の作業画面において押圧されると、直ちに画面を切り換えるように機能することを特徴とする請求項１に記載の装置。
【請求項３】
前記ショートカットキーは、電子メール画面において押圧された後に、記号＠を入力するように機能することを特徴とする請求項１に記載の装置。
【請求項４】
前記ショートカットキーは、前記メッセージ受信機の内蔵入力キーから独立していることを特徴とする請求項１に記載の装置。
【請求項５】
前記メッセージ受信機は、携帯電話、携帯情報端末、あるいは、リモートコントロール装置を含んでいることを特徴とする請求項１に記載の装置。
【請求項６】
ショートカットキーを有するメッセージ受信機によって、電子メールを高速送信するための方法であって、
前記メッセージ受信機を起動させて、ネットワークに接続し、
別のアプリケーション画面において前記メッセージ受信機が動作している場合、前記ショートカットキーを押圧することによって、電子メール画面に入り、
電子メール画面においてショートカットキーを押圧し、電子メールアドレスを入力する
ことを特徴とする方法。
【請求項７】
電子メール画面において、電子メールの編集、読み取り、あるいは、削除を実行することを、さらに含んでいることを特徴とする請求項６に記載の方法。
【請求項８】
電子メール画面において、住所録を作成することを、さらに含んでいることを特徴とする請求項６に記載の方法。
【請求項９】
別の画面においてアクセスされる情報の書式を設定し、書式設定された情報を電子メールに添付することを、さらに含んでいることを特徴とする請求項６に記載の方法。
【請求項１０】
着信した電子メールが受信される場合、点滅記号を生成することを、さらに含んでいることを特徴とする請求項６に記載の方法。
【請求項１１】
前記点滅記号は、点滅する記号＠を含むことを特徴とする請求項６に記載の方法。
【請求項１２】
電子メールアドレスをメモリに保存することを、さらに含んでいることを特徴とする請求項６に記載の方法。
【発明の詳細な説明】
【技術分野】
【０００１】
本発明は、一般的に、メッセージ受信機によって電子メール（ｅ−メール）を高速送信するための方法および装置に関する。
【背景技術】
【０００２】
本発明は、より詳しくは、メッセージ受信機（電子メール受信機）が起動させられると即座に、電子メール画面（ウィンドウ）インタフェースに入って、記号＠を入力するための機能に関しており、ユーザは、スタンバイモードあるいは別のアプリケーション画面の下において、迅速に、電子メール画面インタフェースへ切り換えることが可能である。あるいは、別の画面における情報は、記号＠を入力することによって、電子メールに添付することが可能であり、電子メールを、容易かつ迅速に作成し、送信すること可能である。
【０００３】
電子メール技術およびネットワークの発展は、普及しており、多様な電子デバイス、例えば、携帯電話、携帯情報端末（ＰＤＡ）、パームパイロット（ｐａｌｍ  ｐｉｌｏｔ）、リモートコントロールテレビシステム（ネットワークテレビ）によって、誰もが、何処ででも、電子メールを送信および受信することが可能である。
【０００４】
上記デバイスの大部分は、電子的メッセージのための携帯型受信機であり、メールの簡単な編集および送信を実行可能である。当然、ユーザは、ネットワークを利用し、電子メールの編集および送信を実行することができる。また、メッセージ受信機によっては、静止画あるいは動画の記録を実行するように作動し、したがって、記録されたイメージ（静止画あるいは動画）を受信者に送信することが可能である。
【０００５】
現在、アウトルックエクスプレス（ｏｕｔｌｏｏｋ  ｅｘｐｒｅｓｓ）システムは、電子メールを受信および送信するための最も普及しているプログラムになっている。最も一般的な電子メールアドレスの全ては、指標のための記号「＠」を含んでいる。記号＠は、大部分のデスクトップおよびラップトップコンピュータのために容易にアクセスされる。
【発明の開示】
【発明が解決しようとする課題】
【０００６】
しかし、多くの電子的メッセージ受信機においては、この種の記号は、容易に利用可能ではない。ユーザは、内蔵の記号表あるいはリストに存在するこの種の記号を検索することに、多くの時間を費やさなければならない。この種の手続きは、各メールリストを作成するため、あるいは個々の電子メールを送信するために必要である。したがって、アプリケーションにおいて、非常な不便をかけていた。
【０００７】
本発明は、上記従来技術に伴う課題を解決するためになされたものであり、電子メールを高速送信するための装置および方法を、提供することを目的とする。
【課題を解決するための手段】
【０００８】
上記目的を達成するための請求項１に記載の発明は、
電子メールを高速送信するための装置であって、
メッセージ受信機、および、
前記メッセージ受信機の内部回路に電気的に接続される、少なくとも１つのショートカットキーを有し、
前記ショートカットキーは、現在の作業画面を電子メール画面に切り換え、電子メール画面に入った後において、電子メールアドレスを入力するための記号＠を入力するように機能する
ことを特徴とする装置である。
【０００９】
上記目的を達成するための請求項６に記載の発明は、
ショートカットキーを有するメッセージ受信機によって、電子メールを高速送信するための方法であって、
前記メッセージ受信機を起動させて、ネットワークに接続し、
別のアプリケーション画面において前記メッセージ受信機が動作している場合、前記ショートカットキーを押圧することによって、電子メール画面に入り、
電子メール画面においてショートカットキーを押圧し、電子メールアドレスを入力する
ことを特徴とする方法である。
【発明の効果】
【００１０】
上記のように構成した本発明によれば、メッセージ受信機を介し、電子メールを高速送信するための方法および装置が提供される。メッセージ受信機は、例えば、携帯電話や、携帯情報端末や、ネットワークに接続されたリモートコントロール装置を含んでいる。ショートカットキーをメッセージ受信機にインストールして、ショートカットキーを押圧することによって、電子メール画面は、直ちに開かれる。メッセージ受信機が、電子メール画面において操作されている場合、ショートカットキーは、記号＠を入力するためのファンクションキーとして操作されるため、ユーザは、要望どおり、電子メールアドレスを容易に入力することができる。つまり、電子メールを高速送信するための装置および方法を、提供することができる。
【発明を実施するための最良の形態】
【００１１】
本発明に係る上記の目的および利点は、添付される図面を参照しつつ、本発明の実施の形態を詳細に説明することにより、より明瞭となるだろう。
【００１２】
図１は、本発明の実施の形態に係るメッセージ受信機を説明するための平面図である。電子メールの高速送信デバイスは、図１に示されるように、メッセージ受信機１および１つ以上のショートカットキー２を有する。
【００１３】
メッセージ受信機１は、ネットワークに接続可能である携帯式個人用電子メール受信機（携帯電話、携帯情報端末およびリモートコントロール装置を含む）を含んでいる。メッセージ受信機（電子メール受信機）１は、スイッチが入れられると、アプリケーションのためにネットワークに接続される。
【００１４】
ショートカットキーは、メッセージ受信機１に直接的に内蔵されており、メッセージ受信機１の内部回路に電気的に接続している。
【００１５】
ショートカットキー２は、高速切換え機能を有し、電子メール画面インタフェースに対する高速入力を可能としている。ショートカットキー２は、スタンバイモード（あるいは他のアプリケーション画面）と電子メール画面との間における高速切換えを実行する。加えて、他のアプリケーション画面において提供される情報を、同期送信のための切換えプロセスの間においてオープンされている電子メールに応じて書式設定し、当該電子メールに添付することが可能である。
【００１６】
ショートカットキー２は、記号＠のファンクションキーとして配置（セット）することが可能である。電子メール画面がオープンされる場合、ショートカットキー２は、記号＠を入力するためのファンクションキーに、自動的に切り換えられる。このことにより、ユーザは、受信者（宛先）の電子メールアドレスの入力あるいは住所録（コンタクトリスト）の作成（ｅｓｔａｂｌｉｓｈ）を容易に実行することが可能である。
【００１７】
ショートカットキー２は、メッセージ受信機１に配置（形成）される独立の付加入力キーであり、画面を高速に切り換え、記号＠のファンクションキーとして機能する。言うまでもなく、電子メール画面に高速で入るためのキーは、記号＠を入力するためのファンクションキーと異ならせることも可能である。
【００１８】
実施の形態によっては、ショートカットキーを、メッセージ受信機１の当初（オリジナル）の入力キー１１の１つ以上を利用し、同じ効果を達成するように構成することによって、得ることも可能である。
【００１９】
次に、メッセージ受信機のための操作プロセスを説明する。
【００２０】
図２は、メッセージ受信機による電子メールの高速送信の操作プロセスを説明するためのフローチャートを示しており、当該メッセージ受信機は、電子メール画面インタフェースに切換えて、記号＠を入力するためにショートカットキーを含んでいる。
【００２１】
メッセージ受信機１のスイッチが入れられ、スタンバイモードにある場合、メッセージ受信機１とネットワークとの間の接続は、ステップ３００において維持される。また、メッセージ受信機１は、他のアプリケーション画面において操作され、例えば、画像（イメージ）を取得して記録する等の操作を実行することが可能である。ユーザが、ステップ３０２においてショートカットキーを押圧する場合、制御コマンドが、メッセージ受信機１に入力されると、ステップ３０４において、電子メール画面に直ちに切り換わる。
【００２２】
そして、ユーザは、ショートカットキーを使用し、電子メールアドレスの入力あるいは住所録の作成のために、記号＠を入力することが可能となる。メッセージ受信機１の他のファンクションキーを押圧することによって、他の作業（例えば、編集、読み取り、削除、ファイルの電子メールに対する添付）もまた、実行することが可能である。電子メールの編集が終了すると、電子メールは、ステップ３０６において送信される。
【００２３】
下記のプロセスは、異なる操作モードの下で実行される。図３は、他のアプリケーションが実行されている場合における、メッセージ受信機による電子メールの高速送信の操作プロセスを説明するためのフローチャートである。
【００２４】
図３に示されるように、ステップ４００において、ユーザが、写真を撮影するためにメッセージ受信機１を使用する場合、ステップ４０２において、ユーザは、撮影後、ショートカットキー２を押圧し、電子メール画面に入る。そして、電子メール画面はオープンされると、ステップ４００において撮影された写真は、ステップ４０４において電子メールに添付される。ユーザがショートカットキーを使用し、電子メールアドレスを入力すると、ステップ４０６において、写真は、電子メールアドレスに送信される用意が整う。
【００２５】
図４は、本発明の別の実施の形態に係る、メッセージ受信機１による電子メールの高速送信の操作プロセスを説明するためのフローチャートであり、メッセージ受信機１が、着信した電子メールの通知が受信される場合を示している。
【００２６】
電子メールが、ステップ５００において受信されると、電子メールアラートが、メッセージ受信機１によって生成されて、メッセージ受信機１の表示ユニット１０に表示される。ステップ５０２において、例えば、記号＠を生成し、表示ユニット１０で点滅させることで、新規な電子メールの受信を通知することも可能である。そして、ユーザは、ステップ５０４において、ショートカットキー２を押圧し、電子メール画面へ切り換えることで、ステップ５０６において、着信した電子メールに直ちにアクセスすることが可能である。
【００２７】
図５は、本発明の別の実施の形態に係る、メッセージ受信機による電子メールの高速送信の操作プロセスを説明するためのフローチャートである。
【００２８】
ユーザが、電子メール画面において住所録を作成することを意図する場合、ステップ６００において、ショートカットキー２を直接押圧することによって電子メール画面に入る。そして、ショートカットキー２は、ステップ６０２において、電子メールアドレスを入力するための＠のファンクションキーに切り換る。その後、ユーザは、ステップ６０４において、入力された電子メールアドレスを、メモリに保存することが可能である。
【００２９】
以上のように、本発明によれば、メッセージ受信機を介し、電子メールを高速送信するための方法および装置が提供される。メッセージ受信機は、例えば、携帯電話や、携帯情報端末や、ネットワークに接続されたリモートコントロール装置を含んでいる。ショートカットキーをメッセージ受信機にインストールして、ショートカットキーを押圧することによって、電子メール画面は、直ちに開かれる。メッセージ受信機が、電子メール画面において操作されている場合、ショートカットキーは、記号＠を入力するためのファンクションキーとして操作されるため、ユーザは、要望どおり、電子メールアドレスを容易に入力することができる。つまり、電子メールを高速送信するための装置および方法を、提供することができる。
【００３０】
なお、本発明は、好ましい実施の形態を参照し、特に図示および説明してきたが、特許請求の範囲の趣旨および範囲から逸脱することなく、形態および細部に関し、多様な変更が実施可能であることは、当業者にとっては、理解されるだろう。つまり、本発明は、上述した実施の形態に限定されるものではなく、特許請求の範囲の範囲内で種々改変することができる。
【図面の簡単な説明】
【００３１】
【図１】本発明の実施の形態に係るメッセージ受信機を説明するための平面図である。
【図２】メッセージ受信機による電子メールの高速送信の操作プロセスを説明するためのフローチャートである。
【図３】他のアプリケーションが実行されている場合における、メッセージ受信機による電子メールの高速送信の操作プロセスを説明するためのフローチャートである。
【図４】本発明の別の実施の形態に係る、メッセージ受信機による電子メールの高速送信の操作プロセスを説明するためのフローチャートである。
【図５】本発明の別の実施の形態に係る、メッセージ受信機による電子メールの高速送信の操作プロセスを説明するためのフローチャートである。
【符号の説明】
【００３２】
１・・メッセージ受信機、
２・・ショートカットキー、
１０・・表示ユニット、
１１・・入力キー。
【図１】
2006099463.tif 000003
【図２】
2006099463.tif 000004
【図３】
2006099463.tif 000005
【図４】
2006099463.tif 000006
【図５】
2006099463.tif 000007